(57)【特許請求の範囲】
【請求項１】
手洗いボールが、壁面に固定された施工パネルに対して取り付け、固定される手洗い器の取付構造であって、
手洗いボールは、ボール部と、ボール部の後部上端から上方に立ち上がる起立面部とを備え、起立面部の上端中央部に水栓金具が配設されているとともに、起立面部の上端部背面側に楔部を有し、
施工パネルは、上端の木口面が表面側から背面側に向かって斜め下方に傾斜する傾斜面とされ、トラップカバー固定用の固定金具が下端部に配設されているとともに、水栓金具の接続口に配設される給水ホースに対応して、上端から切り欠けられた切欠部が中央部に形成されており、
手洗いボールの楔部が施工パネルの上端部に引っ掛けられて、手洗いボールが施工パネルに対して取り付け、固定されるとともに、排水トラップ部を前方より隠蔽するトラップカバーが固定金具により施工パネルに取り付け、固定されることを特徴とする手洗い器の取付構造。
【請求項２】
トラップカバー固定用の固定金具は、挟持片を備えた上金具と下金具とを有し、トラップカバーの底面中央部にはスリットが形成されており、
固定金具の上金具の挟持片と下金具の挟持片とを連通するねじに、トラップカバーのスリットが挿入されて、トラップカバーの底面が、固定金具の上金具の挟持片と下金具の挟持片とに挟持されることにより、トラップカバーが施工パネルに取り付け、固定されることを特徴とする請求項１の手洗い器の取付構造。
【発明の詳細な説明】
【技術分野】
【０００１】
本発明は、トイレルーム内に設置する手洗い器の取付構造に関する。
【背景技術】
【０００２】
住宅などの建物においてトイレルームは比較的狭い空間であるので、トイレルーム内に手洗い器を設置する場合には、配管の取付けなどの施工時の取付作業が容易となる工夫が必要とされる。
【０００３】
本出願人は、施工性の向上を図るために、特許文献１に記載した手洗いキャビネットを提案している。
【０００４】
特許文献１に記載した手洗いキャビネットでは、手洗いボールが、カウンター載置部と壁面固定部とを有する取付金具を介して壁面に取り付けられるとともに、手洗いボールの上面鍔部と取付金具のカウンター載置部とによりカウンターを挟み込み、カウンターが取付金具に載置され、手洗いボールの底部から下方に導出される配管の周囲が、背板と水平横断面が略コ字型の扉により覆われ、扉が背板に対して回動自在に配設されている。
【０００５】
上記手洗いキャビネットでは、手洗いボールが取付金具に取り付けられ、取付金具が、壁固定部に設けられた挿通孔を介して壁面に設けられたボルト孔に固定用ボルトを螺合させることによって壁面に固定される。
【特許文献１】特開２００３−１３５２９５号公報
【発明の開示】
【発明が解決しようとする課題】
【０００６】
そのように、上記手洗いキャビネットでは、手洗いボールの取付けのために、ボルト孔を壁面に設けることが必須とされている。このため、トイレルームにおける手洗い器の設置位置が、トイレルームを区画形成する壁における壁面補強材の配置位置に制約を受け、ユーザーが所望する位置へ手洗い器を設置することが叶わない場合がある。
【０００７】
また、上記手洗いキャビネットでは、配管が床まで下方に比較的長く延びているので、背板と扉とから形成される配管カバーの取付けは比較的容易となっているが、配管があまり長くなく、また、排水トラップ部を重点的に外部から隠蔽したい、配管カバーを小型化し、コンパクトに該当部位を隠蔽したいなどの要望に対しては、手洗いボールおよび配管カバーの取付けの際に各々の固定位置を調整する必要がある。手洗いボールは、位置決めして取付金具などの固定金具により壁面に固定され、また、配管バーの取付けの際に、配管カバーの固定金具が位置決めして壁面に固定されるため、壁構造などを含めた施工現場の状況などによって各固定金具の固定位置がまちまちとなり、また、ずれが生じる場合が多いため、そのような固定位置の調整が現状では必要となっている。このような観点からも、手洗い器の施工性には改善が要求される。
【０００８】
本発明は、以上の通りの事情に鑑みてなされたものであり、手洗い器の設置位置の自由度が向上し、手洗いボールおよびトラップカバーの取付位置を施工現場において調整する必要のない、施工性も向上した手洗い器の取付構造を提供することを課題としている。
【課題を解決するための手段】
【０００９】
本発明の手洗い器の取付構造は、上記の課題を解決するために、手洗いボールが、壁面に固定された施工パネルに対して取り付け、固定される手洗い器の取付構造であって、手洗いボールは、ボール部と、ボール部の後部上端から上方に立ち上がる起立面部とを備え、起立面部の上端中央部に水栓金具が配設されているとともに、起立面部の上端部背面側に楔部を有し、施工パネルは、上端の木口面が表面側から背面側に向かって斜め下方に傾斜する傾斜面とされ、トラップカバー固定用の固定金具が下端部に配設されているとともに、水栓金具の接続口に配設される給水ホースに対応して、上端から切り欠けられた切欠部が中央部に形成されており、手洗いボールの楔部が施工パネルの上端部に引っ掛けられて、手洗いボールが施工パネルに対して取り付け、固定されるとともに、排水トラップ部を前方より隠蔽するトラップカバーが固定金具により施工パネルに取り付け、固定されることを特徴としている。さらに、この手洗い器の取付構造では、トラップカバー固定用の固定金具は、挟持片を備えた上金具と下金具とを有し、トラップカバーの底面中央部にはスリットが形成されており、固定金具の上金具の挟持片と下金具の挟持片とを連通するねじに、トラップカバーのスリットが挿入されて、トラップカバーの底面が、固定金具の上金具の挟持片と下金具の挟持片とに挟持されることにより、トラップカバーが施工パネルに取り付け、固定されることが好ましい。
【発明の効果】
【００１０】
本発明によれば、施工パネルは、壁面補強材の位置に合わせて任意に固定位置を決めて固定することができ、壁面補強材の位置に関する詳細な指定がなくとも、施工現場に応じて施工パネルを壁面に固定することができる。このような施工パネルに対して手洗いボールが取り付け、固定されるので、施工現場の壁構造に直接関係なく手洗いボールを取り付けることができ、手洗い器の設置位置の自由度が向上する。手洗いボールは、上端部背面側に設けられた楔部を、上端木口面が傾斜面とされた施工パネルの上端部に引っ掛けることにより容易に位置決めされる。
【００１１】
また、トラップカバーは、施工パネルの下端部に配設された固定金具により施工パネルに取り付け、固定され、固定金具は、あらかじめ設計されて工場において所定位置に取付可能であるので、手洗いボールの施工パネルによる位置決めと合わせて、手洗いボールおよびトラップカバーの取付位置が所定位置に定まる。このため、トラップカバーの取付位置を施工現場において調整する必要がなく、設計位置通りに取り付けることができ、手洗い器全体の施工性が向上する。
【発明を実施するための最良の形態】
【００１２】
図１＜ａ＞＜ｂ＞＜ｃ＞は、それぞれ、本発明の手洗い器の取付構造の一実施形態を示した正面側からの要部分解斜視図、背面側からの要部分解斜視図、要部側面図である。
【００１３】
手洗いボール１は、ボール部２と、ボール部２の後部上端から上方に立ち上がる起立面部３とを備え、起立面部３の上端中央部に、ボール部２へ向けて給水可能とする水栓金具４が配設されている。ボール部２には、水栓金具４の下方位置に排水口５が設けられ、排水口５から下方に延びる、排水トラップ部との接続部６が一体に形成されている。また、ボール部２には、固定用のＬ金具７が左右両側の底面に２つ配設されている。
【００１４】
施工パネル８は板状の木製部材であり、上端の木口面が、表面側から背面側に向かって斜め下方に傾斜する傾斜面９とされている。施工パネル８は、手洗いボール１に配設された水栓金具４および水栓金具４の接続口に配設される給水ホースに対応して、中央部が上端からやや下端寄りの位置まで切り欠かれ、切欠部１０が形成されている。傾斜面９は、切欠部１０を除いた上端木口部に形成されている。また、施工パネル８の中央部下端には、トラップカバーを固定するための固定金具１１が配設されている。
【００１５】
固定金具１１は、小型のＬ金具である上金具１２と、上金具１２より横幅の大きい下金具１３とを備えている。上金具１２の挟持片１２ａの中央部に上下を貫通するねじ孔が形成され、このねじ孔に対応して下金具１３の挟持片１３ａには、そのねじ孔より孔径の大きい貫通孔が挟持片１３ａを上下に貫通して形成されている。上金具１２は、下金具１３の挟持片１３ａの下方より貫通孔を通じて挿入されるユリアねじ１４によって仮止めされ、下金具１３と一体となって固定金具１１を形成している。また、上金具１２は、挟持片１２ａの施工パネル８側の後端から上方に垂設されたガイド片１２ｂを備えているが、施工パネル８には固定されていない。上金具１２は、施工パネル８の表面にガイド片１２ｂの背面が当接可能とされてユリアねじ１４によって仮止めされ、挟持片１２ａの下面が下金具１３の挟持片１３ａの上面に載置されて、固定金具１１において上金具１２は下金具１３上に配置されている。
【００１６】
下金具１３は、挟持片１３ａの左右両端部において上方に垂設された固定片１３ｂを介して施工パネル８に固定ねじにより取り付けられている。固定片１３ｂには、固定ねじの外径と同一または若干大きめの幅を有し、固定ねじの外径より長い長孔が形成され、固定ねじが、この長孔を通じて施工パネル８に緩めに締め付けられて、下金具１３は、若干の遊びをもって施工パネル８に取り付けられ、上下に若干の位置調整が可能とされている。
【００１７】
このような固定金具１１は、手洗い器の製造工場において施工パネル８のあらかじめ設計された、所定位置に取り付けられる。
【００１８】
また、手洗いボール１は、起立面部３の上端部背面側に、施工パネル８の上端木口部に形成された傾斜面９に当接可能な、斜め下方に傾斜する傾斜面１５が形成された楔部１６を有している。楔部１６は、施工パネル８に形成された傾斜面９に対応して起立面部３の左右の２箇所に配設されており、施工パネル８の上端部に外側から係合可能とされている。
【００１９】
手洗い器をトイレルーム内に設置する際には、まず、施工パネル８の取付位置を、手洗い器の設置位置に合わせてトイレルームを区画形成する壁の壁面１７にけがき、固定ねじを用いて施工パネル８を壁面１７に所望の位置で固定する。次いで、手洗いボール１をそのようにして壁面１７に固定された施工パネル８に対して取り付け、固定する。すなわち、楔部１６を施工パネル８の上端部に傾斜面９、１５を相互に接触させて引っ掛け、手洗いボール１を施工パネル８によって係止した状態において、手洗いボール１のボール部２の底面に配設されたＬ金具７の固定片７ａの背面を施工パネル８の表面に重ね合わせ、前方より固定ねじ１８を固定片７ａに形成された前後に貫通する孔を通じて施工パネル８にねじ込み、手洗いボール１を施工パネル８に取り付け、固定する。
【００２０】
その後、給水ホースを水栓金具４の接続口に接続して給水接続を行い、また、図２に示したように、接続部６にＳトラップ１９を接続し、排水トラップ部２０を配設する。
【００２１】
そして、排水トラップ部２０が露出しないように、図３に示したように、排水トラップ部２０をトラップカバー２１によって前方から覆い、隠蔽する。図３は、手洗いボール１および排水トラップ部２０を省略して図示している。トラップカバー２１は、平面視略コ字型の形状で、排水トラップ部２０に対応した大きさを有するカバーである。底面の中央部には、後端から前方にユリアねじ１４の外径より若干幅が大きいスリット２２が形成されている。
【００２２】
トラップカバー２１を排水トラップ部２０に装着する際には、トラップカバー２１の取付位置に合わせて固定金具１１の下金具１３を上下に移動させて施工パネル８への取付位置を若干調整し、固定ねじをさらに締め付けて下金具１３を施工パネル８に固定した後、ユリアねじ１４を緩め、上金具１２を取り外しまたは取り外さずに、トラップカバー２１の底面を、スリット２２にユリアねじ１４を通して上金具１２の挟持片１２ａと下金具１３の挟持片１３ａとの間に挿入し、次いで、上金具１２のガイド片１２ｂの背面を施工パネル８の表面に当接させた状態においてユリアねじ１４を上金具１２の挟持片１２ａのねじ孔にねじ込む。トラップカバー２１は、上金具１２の挟持片１２ａと下金具１３の挟持片１３ａとの間に挟み込まれ、挟持片１２ａ、１３ａによって挟持されて固定金具１１により施工パネル８に取り付けられ、固定される。
【００２３】
このようにして手洗い器はトイレルーム内に設置される。
【００２４】
上記の通り、施工パネル８は、トイレルームを区画形成する壁の壁面補強材の位置に合わせて任意に固定位置を決めて固定することができ、壁面補強材の位置に関する詳細な指定がなくとも、施工現場に応じて施工パネル８を壁面１７に固定することができる。様々な施工現場に施工パネル８は固定可能である。また、施工パネル８は木製であるので、あらかじめ壁面１７への固定のための下穴をあけておく必要がなく、施工現場に合わせて壁面１７への固定位置を決め、壁面１７に固定することができる。
【００２５】
このような施工パネル８に対して手洗いボール１が取り付け、固定されるので、施工現場の壁構造に直接関係なく手洗いボール１を取り付けることができ、手洗い器の設置位置の自由度が向上し、所望位置への設置が可能となる。ボルト孔などをあらかじめ壁面１７に設けておかなくとも手洗いボール１の取付け、固定が実現される。手洗いボール１は、上端部背面側に設けられた楔部１６を、上端木口面が傾斜面９とされた施工パネル８の上端部に引っ掛けることにより容易に位置決めされて固定される。
【００２６】
また、トラップカバー２１は、施工パネル８の下端部に配設された固定金具１１により施工パネル８に取り付け、固定され、固定金具１１は、あらかじめ設計されて工場において所定位置に取付可能であるので、手洗いボール１の施工パネル８による位置決めと合わせて、手洗いボール１およびトラップカバー２１の取付位置が所定位置に定まる。このため、トラップカバー２１の取付位置を施工現場において調整する必要がなく、設計位置通りに取り付けることができ、手洗い器全体の施工性が向上する。手洗いボール１およびトラップカバー２１は、互いに位置ずれすることなく、設計通りの所定位置に取り付けられ、固定される。
【００２７】
なお、下金具１３の固定片１３ｂによる上下調整は、トラップカバー２１の取付けのための最終的な調整であり、微調整程度であり、固定金具１１の基本的な取付位置はあらかじめ設定されている。
【００２８】
加えて、傾斜面９とされた施工パネル８の上端木口面は、楔部１６の傾斜面１５と重なり、楔部１６によって隠蔽されるので、めっき処理、木口処理などの各種の外観処理を施す必要がなく、施工パネル８の製造は簡便である。また、施工パネル８に固定された手洗いボール１は、起立面部３の背面側で施工パネル８と密着するので、樹脂などの成形容易で安価であるなどの各種材料からボール部２が形成されても、水栓金具４から吐出され、流下する水がボール部２の内面に当たる音の反響を防ぐことができ、高級感を損なうような安っぽい音の発生を抑制することもできる。
【図面の簡単な説明】
【００２９】
【図１】＜ａ＞＜ｂ＞＜ｃ＞は、それぞれ、本発明の手洗い器の取付構造の一実施形態を示した正面側からの要部分解斜視図、背面側からの要部分解斜視図、要部側面図である。
【図２】図１に示した実施形態において、排水トラップ部が配設された状態を示した正面図である。
【図３】図１に示した実施形態において、トラップカバーの取付けについて示した要部分解斜視図である。
【符号の説明】
【００３０】
１  手洗いボール
８  施工パネル
９  傾斜面
１１  固定金具
１６  楔部
１７  壁面
２０  排水トラップ部
２１  トラップカバー
【図１】
0005198898.tif 000002
【図２】
0005198898.tif 000003
【図３】
0005198898.tif 000004